(57)【要約】【課題】径の小型化を達成できるレンズ鏡筒構造を提供すること。【解決手段】レンズ鏡筒を構成する第１のレンズ鏡筒部材と、前記第１のレンズ鏡筒部材に取り付く第２のレンズ鏡筒部材と、第２のレンズ鏡筒部材に回転可能に保持される可動リング部材を備え、前記可動リング部材は前記第２のレンズ鏡筒部材上に形成された周方向の摺動面上を摺動し、前記第１のレンズ鏡筒部材は前記第２のレンズ鏡筒部材に対して外周方向よりビスによって締結される事で固定保持され、ビス締結部と前記摺動面が光軸方向へ略同一径上に並ぶことを特徴とする。【選択図】図１４
2016122081.tif 000002
【特許請求の範囲】
【請求項１】
レンズ鏡筒を構成する第１のレンズ鏡筒部材と、
前記第１のレンズ鏡筒部材に取り付く第２のレンズ鏡筒部材と、
第２のレンズ鏡筒部材に回転可能に保持される可動リング部材を備え、
前記可動リング部材は前記第２のレンズ鏡筒部材上に形成された周方向の摺動面上を摺動し、
前記第１のレンズ鏡筒部材は前記第２のレンズ鏡筒部材に対して外周方向よりビスによって締結される事で固定保持され、
ビス締結部と前記摺動面が光軸方向へ同一径上に並ぶことを特徴とするレンズ鏡筒構造。
【請求項２】
前記第１のレンズ鏡筒部材がバヨネット構造によって前記第２のレンズ鏡筒部材に取り付くことを特徴とする請求項１に記載のレンズ鏡筒構造。
【請求項３】
前記ビス締結部は、前記可動リング部材と光軸方向の位置に於いて重なっていることを特徴とする請求項１又は請求項２に記載のレンズ鏡筒構造。
【発明の詳細な説明】
【技術分野】
【０００１】
本発明は、レンズの鏡筒構造に関する。
【背景技術】
【０００２】
従来、デジタルビデオカメラ等の撮像装置では、フォーカス操作やズーム操作等を装置本体に設けられた操作リングを用いて行うものがある。そうした操作リングを備えている撮像装置は操作リングを回転可能に保持し、操作リングと周方向で摺動するベース部材が必要となる。また、ベース部材と隣接する部品の締結は光軸方向よりビス締めが可能なように構成され、ベース部材に設けられた周方向の操作リングの摺動面とビス締結部が光軸方向と垂直に重なって配置されているものがある(特許文献１)。
【先行技術文献】
【特許文献】
【０００３】
【特許文献１】特開２０１４−２０２８１３号公報
【発明の概要】
【発明が解決しようとする課題】
【０００４】
しかしながら、上記特許文献１ではベース部材の周方向の摺動面とビスが光軸方向と垂直に重なって配置されているため、レンズ鏡筒が径方向に大型化してしまっていた。小型化を達成するには別の構成を考える必要があった。
【０００５】
本発明の目的は、径の小型化を達成できるレンズ鏡筒構造を提供することにある。
【課題を解決するための手段】
【０００６】
上記の目的を達成するために、本発明のレンズ鏡筒構造は、レンズ鏡筒を構成する第１のレンズ鏡筒部材と、前記第１のレンズ鏡筒部材が取り付く第２のレンズ鏡筒部材と、前記第２のレンズ鏡筒部材上に形成された周方向の摺動面上を摺動する可動リング部材を備え、前記第１のレンズ鏡筒部材は前記第２のレンズ鏡筒部材材に対して外周方向よりビスによって締められることで固定され、ビスにより係合される面と前記摺動面が光軸方向へ略同一径上に並ぶことを特徴とする。
【発明の効果】
【０００７】
本発明によれば、ビス締結部と前記摺動面が光軸方向へ略同一径上に配置し、光軸方向と垂直な方向からビスで締結することでレンズ鏡筒の径の小型化を達成することができる。
【図面の簡単な説明】
【０００８】
【図１】本発明の実施例１の被写体側より見たレンズ鏡筒の斜視図
【図２】本発明の実施例１のレンズ鏡筒をズームした斜視図
【図３】本発明の実施例１のレンズ鏡筒の断面図
【図４】ズーム回転検知ユニットを操作リングユニットより取り外した斜視図
【図５】操作リングユニットの分解斜視図
【図６】フォーカスリングユニットの分解斜視図
【図７】フォーカスリングユニットの断面図
【図８】図７Ａ部の拡大図
【図９】フォーカスカバーの斜視図
【図１０】フォトインタラプターの組み込みを説明する図
【図１１】フォトインタラプターの斜視図
【図１２】フォーカスリングユニットとズームリングユニットの分解斜視図
【図１３】操作リングユニットの断面図
【図１４】図１３Ｃ部の拡大図
【図１５】ズームベースの斜視図
【図１６】フォーカスリングユニットとズームベースの斜視図
【図１７】図１６の断面図
【図１８】図１７Ｆ部の拡大図
【発明を実施するための形態】
【０００９】
以下、本発明を実施するための形態を図面に基づいて説明する。
【００１０】
＜第１の実施形態＞
［全体構成］
図１、図２、図３を参照して、本発明の第１の実施形態の全体構成について説明する。図１は本発明の第１の実施形態の被写体側より見たレンズ本体の斜視図、図２は本発明の第１の実施形態の被写体側より見たレンズ本体をズームした斜視図、図３は本発明の第１の実施形態のレンズ本体の断面図である。
【００１１】
レンズ本体１０１は、レンズ光学系を備えるレンズ鏡筒群１０２と外観形状や操作系を備える外装ユニット１０３によって構成されており、レンズ鏡筒群１０２には最も被写体側に位置する第１レンズ群１０４、第２レンズ群１０５、絞り、ＩＳなどを備えた第３レンズ群１０６、合焦時に光軸方向に移動する第４レンズ群１０７、撮像素子前面に固定されている第５レンズ群１０８によって構成されている。本発明の実施例１のレンズ鏡筒は、多群移動ズーム鏡筒であり第１レンズ群１０４、第２レンズ群１０５、第３レンズ群１０６がズーム操作で光軸方向に移動する。
【００１２】
ところで、本実施形態の説明では、第１レンズ群１０４を被写体側、第５レンズ群１０８を撮像素子側と規定する。
【００１３】
［外装ユニット構成］
図４を参照して本発明の第１の実施形態の外装ユニットの構成について説明する。図４は被写体側より見た外装ユニット１０３であり、回転検知ユニット１１０を操作リングユニット１０９より取り外した斜視図である。
【００１４】
外装ユニット１０３は操作リングユニット１０９とズーム回転検知ユニット１１０の２つのユニットによって構成されており、操作リングユニット１０９はマニュアル操作時に焦点位置を調節するためのフォーカスリングユニット１１１と変倍時に操作するズームリングユニット１１２によって構成されている。詳細な説明は省略するが回転検知ユニット１１０には位置検出部を外周に備えたベース部、反射部を内周に備えた回転リングによって構成されており、回転リングの回転位置は位置検出部より出力した光信号を反射部で反射し、読み取ることで回転位置を検出している。
【００１５】
また、回転リングにはズームリングと連結するキー１１０１と不図示であるが他端にはレンズ鏡筒群１０２側と連結するキーを備えている。
【００１６】
［フォーカスリングユニット構成］
図５、図６、図７、図８、図９、図１１を参照してフォーカスリングユニット１１１の構成について説明する。図５は被写体側より見た操作リングユニット１０９の分解斜視図、図６は撮像素子側から見たフォーカスリングユニット１１１の分解斜視図、図７はフォーカスリングユニット１１１の断面図、図８は図７のＡ部の拡大図、図９は撮像素子側から見たフォーカスカバー１１６、図１１はフォトインタラプタａ１１５１とフォトインタラプタｂ１１５２の斜視図である。
【００１７】
フォーカスリング１１３はマニュアルでフォーカス操作を行う際に回転操作を行う操作リングで図６に示す回転検知をするための櫛歯１１３１と図８に示す光軸方向摺動面１１３２，１１３３と周方向の摺動面１１３４を備えている。フォーカスベース１１４はフォーカスリング１１３を回転可能に保持し、図８に示す周方向の摺動面１１４１を備えている。図９に示すフォーカスカバー１１６(第１のレンズ鏡筒部材)はズームベース１２０と係合する３箇所の爪受け部１１６７〜１１６９とズームベース１２０の受け面ａ１１６ａ、受け面ｂ１１６ｂ、受け面ｃ１１６ｃ、受け面ｄ１１６ｄを備えている。
【００１８】
図１１に示すフォトインタラプタａ１１５１とフォトインタラプタｂ１１５２はフォーカスリング１１３の回転方向と回転数を検知しており、フォーカスベース１１６に保持されている。図６、図８に示すワッシャーａ１１７は図８の様にフォーカスリング１１３の被写体側の光軸方向摺動面とフォーカスベース１１４との間に位置し、ワッシャーｂ１１８はフォーカスリング１１３の撮像素子側の光軸方向摺動面とフォーカスカバー１１６の間に位置し、摺動面の間に挟まれることでフォーカスリング１１３の摺動を滑らかにしている。
【００１９】
［フォーカスリングユニットの組み立て手順］
図６、図７、図８、図９、図１０ａ、図１０ｂ、図１１を用いてフォーカスリングユニットの組み立て手順を説明する。図１０はフォトインタラプタの組み込みを説明する図であり、特に(ａ)図はフォトインタラプタａ１１５１とフォトインタラプタｂ１１５２を組み込む前の図９のＢ部の拡大図、(ｂ)はフォトインタラプタａ１１５１とフォトインタラプタｂ１１５２を組み込み接着した後の図９のＢ部の拡大図である。
【００２０】
まず図６の様にフォーカスベース１１４にワッシャーａ１１７を組み込む。次にフォーカスリング１１３をフォーカスベース１１４に組みつける。次にワッシャーｂ１１８をフォーカスリング１１３に組み込んだ後、フォーカスカバー１１６をフォーカスベース１１４に組み込み、図６に示すビス４箇所で締結する。
【００２１】
次に図１０（ａ）に示すフォトインタラプタａ１１５１とフォトインタラプタｂ１１５２をフォーカスカバーの貫通穴ａ１１６１と貫通穴ｂ１１６２の２箇所に差し込む。この時フォトインタラプタａ１１５１とフォトインタラプタｂ１１５２はフォーカスカバー１１６に備えられた押し圧部ａ１１６３と押し圧部ｂ１１６４によって軽圧されることで位置を仮固定される。その後、図１０（ｂ）に示すフォトインタラプタａ１１５１とフォトインタラプタｂ１１５２は接着箇所ａ１１６３と接着箇所ｂ１１６４の２箇所を接着剤で固定されることでフォーカスリングユニット１１１が完成する。
【００２２】
［フォーカスリング動作の説明］
撮影者がフォーカスリング１１３を回転操作すると、フォトインタラプタａ１１５１とフォトインタラプタｂ１１５２がフォーカスリング１１３の櫛歯部１１３１の回転方向と通過数を検出する。そして、フォトインタラプタａ１１５１とフォトインタラプタｂ１１５２の検出結果に応じて、不図示のフォーカス駆動制御部は、第４レンズ群１０７を駆動させ、フォーカス調整を行う。
【００２３】
［ズームリングユニット構成］
図１２、図１３、図１４を参照してズームリングユニット１１２の構成について説明する。図１２はズームリングユニット１１２の撮像素子側から見た分解斜視図である。図１３は操作リングユニット１０９の断面図、図１４は図１３のＣ部の拡大図である。
【００２４】
ズームリング１１９(可動リング)はズーム操作時に手動で回転操作を行うリングであり、図１４に示す光軸方向摺動面１１９２，１１９３，周方向の摺動面１１９４、１１９５を備えている。ズームベース１２０(第２のレンズ鏡筒部材)はズームリング１１９を回転可能に保持し、図１４に示す周方向の摺動面１２０４、１２０５（周方向の摺動面）を備えている。図１４に示すリアカバー１２１はズームリング１１９との光軸方向の摺動面を備えている。
【００２５】
ワッシャーｃ１２２はズームリング１１９の被写体側の光軸方向摺動面とズームベース１２０との間に位置し、ワッシャーｄ１２３はズームリング１１９撮像素子側の光軸方向摺動面とリアカバー１２１の間に位置し挟まれることで摺動を滑らかにしている。
【００２６】
［ズームリングユニットの組み立て手順］
図９、図１２、図１３、図１４、図１５、図１６、図１７，図１８を用いてズームリングユニット１１２の組み立て手順について説明する。図１５はズームベース１２０の被写体側より見た斜視図、図１６はフォーカスリングユニット１１１にズームベース１２０を組んだ撮像素子側から見た図、図１７は図１６の断面図、図１８は図１７のＦ部の拡大図である。まず、図１６の様にフォーカスリングユニット１１１に対してズームベース１２０を矢印方向Ｄに移動させ、図１５に示すズームベースの当て面１２０４を図９に示すフォーカスリングユニット１１１の受け面ａ１１６ａ〜ｄに付き当てる。
【００２７】
その後、図１６に示す矢印方向Ｅにズームベース１２０を回転させることで図９に示すフォーカスカバー１１６に備えた３箇所の爪受け部１１６７〜１１６９と図１５に示すズームベース１２０に備えられた３箇所の掛り爪１２０１〜１２０３がそれぞれ回転方向に係合し、図１８の様にズームベース１２０は掛り爪１２０１〜１２０３と当て面１２０４によってフォーカスカバー１１６に加え込まれるように光軸方向の位置を規制されることで精度良く取り付き、外観の隙間関係を良好にして組み立てる事が可能となる。このようにフォーカスカバー１１６とズームベース１２０の結合部はバヨネット構造にあり、組み立て精度を保てる構造になっている。
【００２８】
その後、図１６の様にズームベース１２０の外周方向よりビス１２０６〜１２０８にて３箇所締結することでズームベース１２０はフォーカスリングユニット１１２に固定される。次に図１２の様にワッシャーｃ１２２をズームベース１２０に組み込んだ後、ズームリング１１９を組み込み、ワッシャーｄ１２３を組み込む。次にリアカバー１２１をズームベース１２０に組み込みビス１２１１〜１２１４の４箇所で締結することで操作リングユニット１０９が完成する。また、ビス１２０６〜１２０８は外観からズームリング１１９によって隠されており、美観を兼ね備えている。
【００２９】
図１４の様にビス１２０６の締結部１２０９とズームベース１２０の摺動面１２０４、１２０５が略同一径で光軸方向に並ぶことで、ズームリング１１９からズームベース１２０までの厚みｔを従来の様に操作リングの摺動面とビス締結部が光軸方向と垂直に重なって配置されているものよりも薄くすることが可能となりビデオカメラレンズ鏡筒の小型化が達成できる。不図示であるがその他２箇所のビス１２０７と１２０８の締結部についても摺動面１２０４、１２０５が略同一径で光軸方向に並んでいる。
【００３０】
以上の構成にすることにより、従来よりも径を小型にしたビデオカメラレンズ鏡筒を提供することができる。
【００３１】
上記実施の形態では、本発明の好ましい実施形態について説明したが、本発明は上記実施形態に限定されるものではなく、本発明の要旨の範囲内で種々の変形及び変更が可能である。
【符号の説明】
【００３２】
１０１  レンズ本体、１０２  レンズ鏡筒群、１０３  外装ユニット、
１０４  第１レンズ群、１０５  第２レンズ群、１０６  第３レンズ群、
１０７  第４レンズ群、１０８  第５レンズ群、１０９  操作リングユニット、
１１０  回転検知ユニット、１１０１  キー、１１１  フォーカスリングユニット、
１１２  ズームリングユニット、１１３  フォーカスリング、１１３１  櫛歯、
１１３２  摺動面、１１３３  摺動面、１１４  フォーカスベース、１１４１  摺動面、
１１５１  フォトインタラプタａ、１１５２  フォトインタラプタｂ、
１１６  フォーカスカバー(第１のレンズ鏡筒部材)、１１６１  貫通穴ａ、
１１６２  貫通穴ｂ、１１６３  押し圧部ａ、１１６４  押し圧部ｂ、
１１６５  接着箇所ａ、１１６６  接着箇所ｂ、１１６７  爪受け部ａ、
１１６８  爪受け部ｂ、１１６９  爪受け部ｃ、１１６ａ  受け面ａ、
１１６ｂ  受け面ｂ、１１６ｃ  受け面ｃ、１１６ｄ  受け面ｄ、
１１７  ワッシャーａ、１１８  ワッシャーｂ、１１９  ズームリング(可動リング)、
１１９１  キー勘合部、１１９２  摺動面、１１９３  摺動面、
１２０  ズームベース(第２のレンズ鏡筒部材)、１２０１  掛り爪ａ、
１２０２  掛り爪ｂ、１２０３  掛り爪ｃ、１２０４  摺動面(周方向の摺動面)、
１２０５  摺動面(周方向の摺動面)、１２０６  ビスａ、１２０７  ビスｂ、
１２０８  ビスｃ、１２０９  ビス締結部、１２１  リアカバー、１２１１  ビスｄ、
１２１２  ビスｅ、１２１３  ビスｆ、１２１４  ビスｇ、１２２  ワッシャーｃ、
１２３  ワッシャーｄ
【図１】
2016122081.tif 000003
【図２】
2016122081.tif 000004
【図３】
2016122081.tif 000005
【図４】
2016122081.tif 000006
【図５】
2016122081.tif 000007
【図６】
2016122081.tif 000008
【図７】
2016122081.tif 000009
【図８】
2016122081.tif 000010
【図９】
2016122081.tif 000011
【図１０】
2016122081.tif 000012
【図１１】
2016122081.tif 000013
【図１２】
2016122081.tif 000014
【図１３】
2016122081.tif 000015
【図１４】
2016122081.tif 000016
【図１５】
2016122081.tif 000017
【図１６】
2016122081.tif 000018
【図１７】
2016122081.tif 000019
【図１８】
2016122081.tif 000020